(57)【特許請求の範囲】
【請求項１】
翼が装着された主軸と、
該主軸と結合された発電機と、
該発電機に電気的に接続されたインバータと、
該インバータを制御するコントローラと、
風の状態に応じて前記翼のピッチを制御する手段と、
前記翼の回転を停止させるブレーキと、
風の状態を検知する風速風向計とを有し、
前記発電機は、
一次巻線及び固定子磁極を有する固定子と、
前記固定子磁極に対向する界磁用磁石及びシャフトを有するものであって、前記界磁用磁石が、回転方向に順次異なった極性の磁極が並んでいる第１の界磁用磁石と、この第１の界磁用磁石に対して相対回転が可能で、回転後方に順次異なった磁性の磁極が並んでいる第２の界磁用磁石とを含み構成された回転子と、
前記第１の界磁用磁石と前記第２の界磁用磁石との間の磁気作用力と前記回転子に発生するトルク方向との釣合いに応じて、前記第１の界磁用磁石に対して前記第２の界磁用磁石を軸方向及び回転方向に変位させる変位機構とを備えており、
前記変位機構は、風の状態による前記翼の回転方向に応じて、前記第１の界磁用磁石と前記第２の界磁用磁石との間の磁気作用力と前記回転子に発生する回転トルクの方向との釣合いにより前記第１の界磁用磁石と前記第２の界磁用磁石の同磁極中心を並ばせる変位機能と、前記回転子の発生する回転トルクの方向が反対になることにより前記第１の界磁用磁石と前記第２の界磁用磁石の同磁極中心位置をずらす変位機能とを備えている
ことを特徴とする風力発電システム。
【請求項２】
請求項１に記載の風力発電システムにおいて、
前記変位機構は、
前記翼が正回転している場合、前記第１の界磁用磁石と前記第２の界磁用磁石の同磁極中心を並ばせ、
前記翼が逆回転している場合、前記第１の界磁用磁石と前記第２の界磁用磁石の同磁極中心位置をずらす
ことを特徴とする風力発電システム。
【請求項３】
請求項１に記載の風力発電システムにおいて、
前記第１の界磁用磁石は前記シャフトに対して固定されており、
前記第２の界磁用磁石は前記シャフトに対して可動自在に設けられており、
前記第２の界磁用磁石と前記シャフトは、前記シャフトにもたせたボルト機能及び前記第２の界磁用磁石にもたせたナット機能の関係からなるねじ機能によってお互いに接続されている
ことを特徴とする風力発電システム。
【請求項４】
請求項３に記載の風力発電システムにおいて、
前記第２の界磁用磁石の側面には、前記第２の界磁用磁石の所定以上の変位を防止するためのストッパーが設けられており、
前記ストッパーは前記シャフトに対して平行に可変する
ことを特徴とする風力発電システム。
【請求項５】
請求項４に記載の風力発電システムにおいて、
前記ストッパーは、回転速度に応じて前記シャフトと平行にサーボ機構によって可変させられる
ことを特徴とする風力発電システム。
【請求項６】
請求項１に記載の風力発電システムにおいて、
前記コントローラは、前記第１の界磁用磁石と前記第２の界磁用磁石との合成磁極位置のずれに応じて、前記巻線に供給される電流の進角を制御する
ことを特徴とする風力発電システム。
【請求項７】
請求項１に記載の風力発電システムにおいて、
前記コントローラは、前記第１の界磁用磁石と前記第２の界磁用磁石との合成磁極位置のずれ角に応じて、前記巻線に供給される電流の進角を制御する
ことを特徴とする風力発電システム。
【請求項８】
請求項３に記載の風力発電システムにおいて、
前記第２の界磁用磁石と前記シャフトとの間には、回転運動と往復運動及び複合運動を案内するための支持機構が複数設けられている
ことを特徴とする風力発電システム。
【請求項９】
請求項３に記載の風力発電システムにおいて、
前記第２の界磁用磁石の前後には、前記第２の界磁用磁石の回転運動と往復運動及び複合運動を案内するばねが設けられている
ことを特徴とする風力発電システム。
【請求項１０】
請求項３に記載の風力発電システムにおいて、
前記第２の界磁用磁石と前記シャフトとの間には、それらの間を電気的及び磁気的に絶縁するためのスリーブが設けられており、
前記スリーブは前記第２の界磁用磁石の内周側に固定されている
ことを特徴とする風力発電システム。
【請求項１１】
請求項１０に記載の風力発電システムにおいて、
前記スリーブは、鉄よりも電気抵抗率が高い非磁性体である
ことを特徴とする風力発電システム。
【請求項１２】
請求項３に記載の風力発電システムにおいて、
前記第１の界磁用磁石の側面で前記第２の界磁用磁石と接する側面には凹部が設けられており、
前記第２の界磁用磁石の側面で前記第１の界磁用磁石と接する側の側面には突起部が設けられており、
前記突起部は、前記第２の界磁用磁石と前記シャフトとの間を電気的及び磁気的に絶縁するためのスリーブを兼ねている
ことを特徴とする風力発電システム。
【請求項１３】
請求項４に記載の風力発電システムにおいて、
前記ストッパーは、前記第２の界磁用磁石と前記シャフトに対して回転運動と往復運動及び複合運動を案内する支持機構を備えている
ことを特徴とする風力発電システム。
【請求項１４】
請求項３に記載の風力発電システムにおいて、
前記第２の界磁用磁石を有する回転子と前記固定子との間のエアギャップは、前記第１の界磁用磁石を有する回転子と前記固定子との間のエアギャップよりも大きい
ことを特徴とする風力発電システム。
【請求項１５】
請求項５に記載の風力発電システムにおいて、
前記ストッパーと前記サーボ機構は前記第２の界磁用磁石の内周側に設けられていることを特徴とする風力発電システム。
【発明の詳細な説明】
【０００１】
【発明の属する技術分野】
本発明は永久磁石を界磁に用いた発電機に係り、特に風力発電システムの発電機およびその制御方法に関し、発電機の回転子が第１界磁用磁石と第２界磁用磁石から構成され、トルク方向に応じて第１界磁用磁石と第２界磁用磁石の磁極中心位置を変化し、かつ回転数に応じて有効磁束量の変化が可能な発電機およびその制御方法に関する。
【０００２】
【従来の技術】
従来技術による永久磁石界磁形発電機において、誘導起電力Ｅは回転子に配置されている永久磁石が発生する一定磁束Φと発電機の回転角速度ωによって決定される。つまり、発電機の回転角速度ω（回転数）が上昇すると、発電機の誘導起電力は比例して上昇する。
【０００３】
よって、低速領域で高トルクが得られるが、回転数の可変範囲が狭いために高速領域の運転は困難であった。そこで、弱め界磁制御技術により高速運転領域を広げることが考えられる。
【０００４】
また、風力発電システムの発電機は広い速度範囲で所定の出力を確保するためにギア機構やピッチモータ等を備えて、さまざまな風速条件に対応できるようにした。発電機の各相巻線を主軸の回転速度に応じて巻線切り換え装置を用いて、低速用巻線と高速用巻線に切り換えて駆動するようにしているものもある。
【０００５】
【発明が解決しようとする課題】
従来技術で述べた弱め界磁制御技術により高速運転領域を広げることは、弱め界磁電流による発熱や効率低下などにより限界がある。
【０００６】
各相巻線を主軸の回転速度に応じて巻線切り換え装置を用いた場合は、発電機本体からのリード線の数が多く、さらに巻線切り換え制御装置とその構造が複雑になる問題点などがある。
【０００７】
構造が複雑になると、その分風力発電システムのナセル部の重量が増加し、タワーの構造を強化するなどの必要が生じる。
【０００８】
【課題を解決するための手段】
本発明は、風力発電システムにおいて、翼が装着された主軸と、この主軸と結合された発電機と、この発電機に電気的に接続されたインバータと、このインバータを制御するコントローラと、風の状態に応じて翼のピッチを制御する手段と、翼の回転を停止させるブレーキと、風の状態を検知する風速風向計とを有し、発電機は、一次巻線及び固定子磁極を有する固定子と、固定子磁極に対向する界磁用磁石及びシャフトを有するものであって、界磁用磁石が、回転方向に順次異なった極性の磁極が並んでいる第１の界磁用磁石と、この第１の界磁用磁石に対して相対回転が可能で、回転後方に順次異なった磁性の磁極が並んでいる第２の界磁用磁石とを含み構成された回転子と、第１の界磁用磁石と第２の界磁用磁石との間の磁気作用力と回転子に発生するトルク方向との釣合いに応じて、第１の界磁用磁石に対して第２の界磁用磁石を軸方向及び回転方向に変位させる変位機構とを備えており、変位機構は、風の状態による翼の回転方向に応じて、第１の界磁用磁石と第２の界磁用磁石との間の磁気作用力と回転子に発生する回転トルクの方向との釣合いにより第１の界磁用磁石と第２の界磁用磁石の同磁極中心を並ばせる変位機能と、回転子の発生する回転トルクの方向が反対になることにより第１の界磁用磁石と第２の界磁用磁石の同磁極中心位置をずらす変位機能とを備えていることを特徴とする。
【０００９】
【発明の実施の形態】
以下に本発明の実施形態について説明する。
【００１０】
図１は本実施例の永久磁石形同期発電機を配置した風力発電システムの概略を示したものである。
【００１１】
図１はタワー７２の上部には翼７０と発電機２と、風速風向計７１が設けられ、前記発電機からは制御ケーブル７３とパワーケーブル７４を通して、変電設備ハウス８０に連結され、電力は送電線７８に送られるようになっている。
【００１２】
前記変電設備ハウス８０と発電機２が設けられているタワー７２の間に制御盤７５を設け、開閉器や各種ケーブルの中間接続端子などが内装されている。
【００１３】
また、前記変電設備ハウス８０には変圧器８１とインバータ８２と、前記インバータを制御するコントローラ８４等が設けられ、風力発電機の発電電力が系統へ送られる。インバータ８２では、電圧変動や出力変動の対策を行う機能も持つ。
【００１４】
図２は前記タワー７２上部の構成要素の概略を示す。
【００１５】
図２において、各翼７０は主軸８５に装着され、前記主軸と発電機２が結合された構造である。
【００１６】
また、前記翼７０のピッチを制御する手段として、翼の数に合わせて複数個のピッチモータ８９が設けられ、前記風速風向計７１から検知された風の方向に合わせてタワー上部を回転させるヨーギア８８が設けられている。主軸８５と発電機２の間にはブレーキ８７が設けられ、非常時や前記風速風向計７１から検知された風速が一定速度以上になると、翼７０を風に対して直角になるように制御して回転を停止させる。更に、主軸と発電機間には増速機８６を設けて、前記発電機の回転速度を増速して発電機の小型化を狙う方式もあれば、前記増速機８６無し（ギアレス）のダイレクト方式もある。ギヤレスダイレクト方式はギアによる騒音がなく保守も容易である。勿論、本発明の発電機２は二つの方式にも適用可能である。
【００１７】
図３は図１の発電機の回転子同磁極中心がずれた場合の概略を示す。
【００１８】
図３において、固定子鉄心１０には電機子巻線１１がスロット内に巻装されており、内部に冷媒が流れる冷却路１２をもったハウジング１３に結合されている。
【００１９】
永久磁石埋め込み型回転子２０はシャフト２２に固定した第１回転子２０Ａとシャフト２２と分離した第２回転子２０Ｂからなる。勿論、永久磁石埋め込み型回転子のみならず、表面磁石型回転子でも良い。
【００２０】
第１回転子２０Ａには、永久磁石２１Ａが回転方向に順次異なった極性の磁極が並んでいる。同じく、第２回転子２０Ｂには、永久磁石２１Ｂが回転方向に順次異なった極性の磁極が並んでいる。第１と第２回転子の２つの回転子を同一軸上に配置した界磁用磁石は固定子磁極に対向している。
【００２１】
第２回転子２０Ｂの内径側はナット部２３Ｂとなり、それに当たるシャフトにはボルトのネジ部２３Ａとなり、お互いにネジの機能を持たせて接続すると、第２回転子２０Ｂはシャフトに対して回転しながら軸方向に可変可能とする。
【００２２】
また、第２回転子２０Ｂが固定子の中心から所定の変位以上はみ出さないように前記第２回転子２０Ｂの側面から離れたところにはストッパー２４を設ける。さらに、サーボ機構であるストッパー駆動用アクチュエータ２５を設けて、前記ストッパー２４をシャフトと平行に左右に可変可能にすれば、第１界磁用磁石と第２界磁用磁石の磁極中心のずれる値を変えることが出来る。結果的には、電機子巻線１１がスロット内に巻装されている固定子に対して、第１界磁用磁石と第２界磁用磁石からなる全体の有効磁束量を制御可能である。
【００２３】
上記のようにすることで、トルクの方向に応じて永久磁石の有効磁束量を変化することについて述べる。
【００２４】
基本的に固定子には電機子巻線と回転子には永久磁石を用いる発電機において、回転子の回転方向が反対になれば、トルク方向も反対になる。同じく、同じ電動機と働く時、回転子の回転方向が反対になれば、トルク方向も反対になる。
【００２５】
また、電動機として働く時と、発電機として働く時の回転子の回転方向が同じであれば、電動機として働く時と、発電機として働く時の回転子が受けるトルクの方向は反対になる。
【００２６】
上記に説明した回転方向とトルク方向による基本理論を本発明の実施形態に係る発電機に適用すると以下の通りでる。
【００２７】
本発明の発電機が風力の広い範囲で高効率発電を行う一つの実施例として、二つに分割された回転子は以下の状態で運転されれば良い。風が弱い低速回転領域においては、図４に示すように、第１回転子２０Ａと第２回転子２０Ｂの同磁極の中心が揃えるようにして、固定子磁極と対向する永久磁石による有効磁束量を多くし、高出力特性が得られるようにする。
【００２８】
次に、風が強い高速回転領域においては、図５に示すようにシャフト２２に対して第２回転子２０Ｂはボルトのネジ部からナット部が外れるように第１回転子２０Ａと第２回転子２０Ｂの間の間隔が広がりながら同磁極の中心がずれて、固定子磁極と対向する永久磁石による有効磁束量を少なくすることになり、言い換えると弱め界磁効果があり、高回転領域において定出力特性が得られる。
【００２９】
第１回転子２０Ａと第２回転子２０Ｂの間の間隔が広がりながら同磁極の中心がずれて、固定子磁極と対向する永久磁石による有効磁束量が少ない状態の概略を図５に示す。
【００３０】
図４と図５にはボルトの頭部６１，ボルトのネジ部６０とナット部６２に対応して書いたのがあるが、ボルトの頭部６１は第１回転子２０Ａ，ナット部６２は第２回転子２０Ｂに相当するものである。ボルトのネジ部６０（図３内の２３Ａに相当する）が同じ方向に回転するとすれば、ナット部６２にかかるトルクの方向によって該ナット部６２は締まったり外れたりするように、第２回転子２０Ｂも回転子のトルク方向によって同じ働きをする。
【００３１】
また、正回転と逆回転の時はトルクの方向が反対になり、正回転の時には図４に示す状態ならば、逆回転の場合には図５の状態になる。
【００３２】
勿論、第２回転子２０Ｂの内径側はナット部２３Ｂとなり、それに当たるシャフトにはボルトのネジ部２３Ａとなり、お互いにネジの機能を持たせて接続するが、ネジの方向を反対にすれば（例えば右ネジから左ネジ）図４と図５の状態が反対になるが、同様に同じ効果が得られる。
【００３３】
例えば、風が弱い時、正回転の低速回転領域においては、図４に示すように、第１回転子２０Ａと第２回転子２０Ｂの同磁極の中心が揃えるようにしたネジの組合せにすれば、固定子磁極と対向する永久磁石による有効磁束量が多くなり、高出力特性が得られる。
【００３４】
次に、風が強い時、前記翼７０のピッチ制御を行い逆回転になれば、高速回転領域になっても、図５に示すようにシャフト２２に対して第２回転子２０Ｂはボルトのネジ部からナット部が外れるように第１回転子２０Ａと第２回転子２０Ｂの間の間隔が広がりながら同磁極の中心がずれて、固定子磁極と対向する永久磁石による有効磁束量が少なくなり、言い換えると弱め界磁効果があり、高回転領域において高出力特性が得られる。
【００３５】
本発明の発電機による誘導起電力の作用について説明する。
【００３６】
図６に永久磁石形同期発電機の回転角速度に対する有効磁束，誘導起電力，端子電圧の特性を示す。
【００３７】
永久磁石形同期発電機の誘導起電力Ｅは回転子に配置されている永久磁石が発生する一定磁束Φと発電機の回転角速度ωによって決定される。つまり図６(ａ)に示す様に、回転子に配置されている永久磁石が発生する一定磁束Φ１が一定ならば、回転角速度ω（回転数）が上昇すると、発電機の誘導起電力Ｅ１は比例して上昇する。しかし、電源系統システムの端子電圧とインバータの容量などからインバータの出力電圧は制限があり、定常運転状態の発電機が発生する誘導起電力も制限がある。そのため永久磁石形同期発電機では、ある回転数以上の領域では永久磁石が発生する磁束を減らす、いわゆる弱め界磁制御を行わなくてはならない。
【００３８】
誘導起電力が回転角速度に比例して上昇するため、弱め界磁制御の電流も大きくしなければならない故に、１次導体であるコイルに大電流を流す必要があり、おのずとコイルの発生する熱が増大する。そのため、高回転領域における発電機としての効率の低下，冷却能力を超えた発熱による永久磁石の減磁等が起こりうる可能性がある。
【００３９】
例えば、図６（ａ）に示す様に、回転子に配置されている永久磁石が発生する磁束Φ１がある回転角速度ω１（回転数）のポイントで磁束Φ２に変わると、発電機の誘導起電力Ｅ１から誘導起電力Ｅ２特性に変化することで誘導起電力の最大値を制限することが可能である。
【００４０】
図６（ｂ）は同様に回転角速度ω（回転数）に応じてより細かく磁束Φが変われば、誘導起電力Ｅも一定に保つことが可能であることの概略を示す。
【００４１】
図６に示した特性を得る手段の実施例の一つとして、前記第１界磁用磁石はシャフトに固定し、前記第２界磁用磁石はシャフトと分離すると共に、シャフトにはボルトのネジ部と第２界磁用磁石の内側にはナット部になりお互いにネジの機能を持たせて接続し、第２界磁用磁石の側面から離れたところにはストッパーを設け、ストッパーを回転速度に応じてシャフトと平行に可変可能なサーボ機構を持たせた発電機を用いることで可能である。
【００４２】
図６に主軸発電機の制御回路の構成図を示す。
【００４３】
図６は図１の発電機２の制御ブロック図を示したものである。
【００４４】
まず、制御盤（図１内８４、若しくは７５）から設定された情報，前記風速風向計７１からの情報、および永久磁石形同期発電機２の回転数を基に、運転判断部１０１が永久磁石形同期発電機２の運転動作を判断して電流指令値を出力する。運転判断部１０１から出力された電流指令値は、現在の永久磁石形同期発電機２の電流値との差分に対して非干渉制御等を行っている電流制御ブロック１０２に入力する。
【００４５】
電流制御ブロック１０２からの出力は回転座標変換部１０３で３相の交流に変換され、インバータ１０４を介して永久磁石形同期発電機２を制御する。また、永久磁石形同期発電機２の各相の電流（少なくとも２相の電流）および回転数を検出し、各相の電流は２軸変換ブロック１０５で、２軸電流に変換し、電流指令値にフィードバックしている。また、回転数，磁極位置らは検出器１０６で検出され、磁極位置変換部１０７と速度変換部１０８らを通して各制御ブロックにフィードバックされる。
【００４６】
尚、図７における実施例では、発電機２の位置・速度センサ、ならびに発電機の電流センサがある場合のものを示したが、これらの一部のセンサを排除し、センサレスにより発電機２タイプの制御構成のものでも、同様に実施可能である。
【００４７】
また、本発明の実施の形態の永久磁石形同期発電機は、運転状況に応じて第１回転子と第２回転子の同磁極中心を一致させるようにしたり、ずらしたりすることができるので、前記第１界磁用磁石と第２界磁用磁石の合成磁極位置のずれに応じて前記インバータを制御するコントローラによる電流の進角を補正する機能を持つ。
【００４８】
電流の進角を補正する実施例について述べる。
【００４９】
前記第１界磁用磁石はシャフトに固定し、前記第２界磁用磁石はシャフトと分離すると共に、シャフトにはボルトのネジ部と第２界磁用磁石の内側にはナット部になりお互いにネジの機能を持たせて接続して運転すると、第２界磁用磁石は回転しながら軸方向に左右に移動する。
【００５０】
運転状況に応じて第１回転子と第２回転子の同磁極中心を一致させたり、ずらしたりする場合の回転角と軸方向変位量の関係を図１５に示す。
【００５１】
図１５において、第２回転子の回転角θと軸方向変位量ΔＬは比例関係であり、変位測定器６４を用いて軸方向変位量ΔＬを測定し、制御回路の位置検出回路（図７内１０６）にフィードバックされ第１界磁用磁石と第２界磁用磁石の合成磁極位置のずれ角に換算した値として、電流の進角を補正する最適制御に用いる。
【００５２】
図８は本発明の他の実施形態をなす発電機を示す。
【００５３】
前記第１回転子２０Ａはシャフト２２に固定し、前記第２回転子２０Ｂはシャフト２２と分離すると共に、シャフトの一部にはボルトのネジ部２３Ａと第２界磁用磁石の内側にスリーブ４１を固定し、かつスリーブ４１の内側にナット部
２３Ｂを固定したものを一体化すれば、シャフト２２に対して第２回転子２０Ｂはボルトのネジ部からナット部が外れるように、第１回転子２０Ａと第２回転子２０Ｂの間の間隔が広がりながら回転する。
【００５４】
第２界磁用磁石の内側とシャフト２２間にはわずかな遊びがあることで、回転と共に第２界磁用磁石の内側とシャフト２２間に鎖交磁束の変化が生じると、電食等の障害があるが、前記スリーブ４１は鉄より電気抵抗率が高い非磁性体を用いることで、第２界磁用磁石の内側とシャフト２２間には磁気的にも、電気的にも絶縁を行う効果がある。
【００５５】
前記第２界磁用磁石と前記シャフト間には回転運動と往復運動及び複合運動を案内出来るようにスリーブ４１の内側に支持機構４０Ａ，４０Ｂを備えた。
【００５６】
第２回転子２０Ｂはシャフトの一部にボルトのネジ部２３Ａとお互いにネジの機能を持たせて接続され、第２界磁用磁石の側面から離れたところには可変可能なストッパー２４を設ける。ストッパー２４とシャフト間、ストッパーと第２回転子２０Ｂの側面間には回転運動と往復運動及び複合運動を案内出来るように支持機構４２，４７を設ける。支持機構４２はスラスト軸受の機能を持ち、支持機構４７はラジアル軸受でありながら回転運動と往復運動及び複合運動を案内する機能を持つ。
【００５７】
さらに、ばね４８を設けることで、支持機構４２はスラスト軸受としてその機能が向上する効果がある。
【００５８】
ストッパー２４はシャフトと平行に可変可能なサーボ機構の一例として、電磁クラッチについて述べる。
【００５９】
電磁クラッチの構成は、ヨーク４４にコイル４６が巻かれて、ストッパー２４は可動鉄心の機能を兼用することで良い。ヨーク４４とコイル４６は発電機のフレーム４９、若しくはハウジングの一部に（図に示せず）固定し、ヨーク４４とストッパー２４の間にばね４５を備えて励磁遮断時の復帰装置の機能を持つ。発電機のフレーム４９とシャフト２２の間には軸受５０で支える。
【００６０】
図８はコイル４６に無励磁状態の概略であり、図９はコイル４６に励磁状態の概略を示す。
【００６１】
コイル４６を励磁することでヨーク４４は強力な電磁石となり、可動鉄心の機能を兼用するストッパー２４を吸引する。
【００６２】
コイル４６を励磁してストッパー２４を吸引する時には、シャフト２２に対して第２回転子２０Ｂはボルトのネジ部からナット部が外れるように第１回転子
２０Ａと第２回転子２０Ｂの間の間隔が広がりながら回転するようにトルクを加えれば、コイル４６に流す電流の負担が少なくして済む。
【００６３】
ここに示した電磁クラッチはストッパー２４をシャフトと平行に可変可能なサーボ機構の一例であり、油圧アクチュエータ，回転機とボールネジなどによる直線駆動装置，リニアモータなどを用いることで、より細かなストッパーの位置決めが可能である。
【００６４】
図１０は第２回転子２０Ｂの内側に固定されるスリーブ４１の一例を示す。
【００６５】
それらの固定方法の一つとして、第２回転子２０Ｂとスリーブ４１からなる２つの部品の接する面のお互いに凸凹を設けて固定した。また、シャフト２２に固定した第１回転子２０Ａとシャフト２２と分離した第２回転子２０Ｂの内側違いの概略を示す。
【００６６】
図１１は本発明の他の実施例を示す。
【００６７】
前記第１界磁用磁石と前記第２界磁用磁石が接する前記第１界磁用磁石側面に凹部５３を設け、前記第２界磁用磁石には前記スリーブの機能を兼ねた突起部
５４を設けた構造である。突起部５４はスリーブ４１と一体ものでも良いし、第２回転子２０Ｂと一体ものでも良い。よって、スリーブ４１の十分なスペースが確保出来、ばね４８，支持機構４０Ａ，４０Ｂ，ナット部２３Ｂらを有効に配置することで、第２回転子２０Ｂの軸長積厚が薄い発電機に有効な手法の一つである。
【００６８】
図１２は本発明の他の実施例を示す。
【００６９】
図１２に示す基本構成要素は図８と同じであるが、電磁クラッチに相当する一部を変更した一例である。図１２はコイル４６が励磁状態であり、励磁遮断時はばね４５によりヨーク４４とストッパー２４は切り離れる。また、第２回転子
２０Ｂにトルクが加わるボルトのネジ部２３Ａとナット部２３Ｂの相互作用によるネジの機能により推力が得られる特性を持つ。よって、ネジとトルクの相互関係でストッパー２４を押し出す推力が加われば、コイル４６の励磁を遮断するとストッパー２４はヨーク４４と切り離れる。ヨーク４４はアーム５２を介してフレーム４９、若しくはハウジングの一部に（図に示せず）固定される。
【００７０】
図１２に示す電磁クラッチは、図８，図９の説明と同じくストッパー２４をシャフトと平行に可変可能なサーボ機構の一例であり、油圧アクチュエータ，回転機とボールネジなどによる直線駆動装置，リニアモータなどを用いることで、より細かなストッパー２４の位置決めが可能である。
【００７１】
勿論、各図に示した各々の構成要素は様々な方法で組合わせることが可能であり、用途に合わせて加えたり、取り外すことは言うまでもない。
【００７２】
図１３は本発明の他の実施例を示す。
【００７３】
本発明の発電機の特徴として、第１回転子２０Ａはシャフト２２に対してしっかり固定されているのに対して、第２回転子２０Ｂはシャフト２２に対して自由度を持つことになる。従って、第２回転子２０Ｂとシャフト２２間にはわずかな機械的な寸法の遊びがあり、大きなトルクや遠心力などが加わると偏心することもあり得る。よって、第１界磁用磁石を有する第１回転子２０Ａと前記固定子間のエアギャップＧａｐ１より第２界磁用磁石を有する第２回転子２０Ｂと前記固定子間のエアギャップＧａｐ２の方が大きくしたことで、偏心による第２回転子２０Ｂと前記固定子との機械的な接続を省く効果がある。
【００７４】
ストッパー２４と第２回転子２０Ｂの間、第１回転子２０Ａとに第２回転子
２０Ｂの間には、ばね４８，ばね５１を複数個設けることで、第２回転子２０Ｂの急激な変動を押さえたり、トルク方向による動きを補助する効果がある。
【００７５】
図１４は本発明の他の実施形態をなす発電機を示す。
【００７６】
前記図２に示した第２回転子のネジ部２３をなくし、回転角θ分可変できる機構を設けたことを特徴とする永久磁石形同期発電機である。
【００７７】
前記図２に示した第２回転子のネジ部分の代わりに、シャフト２２に歯車のように凹凸を設けて、第２回転子２０Ｂの内径側にはシャフトが挿入できるように凸凹を設ける。ただし、シャフト２２を第２回転子２０Ｂの内径側に挿入したときには、かみ合う歯の幅より溝の幅を大きくして所定の回転角θ分可変できるようにする。さらに、かみ合う歯と溝の間にはスプリング２６とダンパー２７を設けることで、急な衝突を和らげる効果がある。
【００７８】
以上の本発明の説明では、４極機を対象に述べたが、６極機、又は、８極機以上に適用出来る事は言うまでもない。一例として、図１６には本発明を８極機に適用した場合の永久磁石形同期発電機の回転子概略図を示す。また、回転子においては埋め込み磁石形でも、表面磁石形でも適用出来る事は言うまでもない。
【００７９】
【発明の効果】
本発明の永久磁石形同期発電機は第１界磁用磁石と第２界磁用磁石に分割した回転子を同一軸上に配置したトルクの方向により第１と第２の界磁用磁石の磁極中心を変化させるという構成により、固定子磁極と対向する永久磁石による有効磁束量を可変出来るという効果がある。
【００８０】
特に、風力発電システムの主軸発電機の弱め界磁が簡単に出来、広範囲可変速制御には大きな効果がある。発電機構造が簡単になることにより、発電機が軽量になるため、タワーの構造が簡単になるという効果がある。
【図面の簡単な説明】
【図１】本実施例の永久磁石形同期発電機を配置した風力発電システムの概略を示す。
【図２】図１の風力発電システムタワー上部の概略を示す。
【図３】図１の発電機の回転子同磁極中心がずれた場合概略を示す（その１）。
【図４】図１の発電機の回転子同磁極中心が揃った場合概略を示す。
【図５】図１の発電機の回転子同磁極中心がずれた場合概略を示す（その２）。
【図６】図１の発電機の回転角速度に対する諸特性を示す。
【図７】図１の発電機の制御ブロック図を示す。
【図８】本発明の他の実施形態をなす発電機を示す（アクチュエータＯＦＦ状態）。
【図９】本発明の他の実施形態をなす発電機を示す（アクチュエータＯＮ状態）。
【図１０】本発明の他の実施形態をなす発電機の回転子の内側を示す。
【図１１】本発明の他の実施形態をなす発電機の回転子の内側を示す。
【図１２】本発明の他の実施形態をなす発電機を示す（アクチュエータＯＮ状態）。
【図１３】本発明の他の実施形態をなす発電機の回転子概略図を示す（Ｇａｐの差を付ける）。
【図１４】本発明の他の実施形態をなす発電機の回転子の概略図を示す。
【図１５】本発明の他の実施形態をなす発電機の軸方向変位測定の概略図を示す。
【図１６】本発明の他の実施形態をなす発電機の回転子概略図を示す（８極機に適用した場合）。
【符号の説明】
２…発電機、１０…固定子鉄心、１１…電機子巻線、１２…冷却路、１３…ハウジング、２０…回転子、２０Ａ…第１回転子、２０Ｂ…第２回転子、２１…永久磁石、２１Ａ…第１回転子永久磁石、２１Ｂ…第２回転子永久磁石、２２…シャフト、２３…ネジ、２４…ストッパー、２５…ストッパー駆動用アクチュエータ、２６…ばね、２７…ダンパー、１０１…運転判断部、１０２…電流制御、１０３…回転座標変換部、１０４…インバータ、１０５…２軸変換部。
【図１】
0003873634.tif 000002
【図２】
0003873634.tif 000003
【図３】
0003873634.tif 000004
【図４】
0003873634.tif 000005
【図５】
0003873634.tif 000006
【図６】
0003873634.tif 000007
【図７】
0003873634.tif 000008
【図８】
0003873634.tif 000009
【図９】
0003873634.tif 000010
【図１０】
0003873634.tif 000011
【図１１】
0003873634.tif 000012
【図１２】
0003873634.tif 000013
【図１３】
0003873634.tif 000014
【図１４】
0003873634.tif 000015
【図１５】
0003873634.tif 000016
【図１６】
0003873634.tif 000017